(57)【要約】【課題】草刈機の切断部７の後方に配置した走行用駆動ローラ部４を上下調節可能に支持するローラ支持部５を、ローラ４０の後方に突出する部材を廃止し、鋭利な角や凹凸部の露出を防いで外側を整え、部品点数の削減を計り、小型に纏める。【解決手段】ローラ支持部５のローラ支持体５０を、支持体左５１と支持体右５２の間に連結軸５２ｄを着脱可能に連結して構成し、前記連結軸５２ｄにより駆動ローラ部４を嵌装軸支し、又、一方の支持体を、一方のローラと重合する部分を近接して切欠し、凹凸部を内包した内側開口箱形状とする。【選択図】図６
2005176647.tif 000002
【特許請求の範囲】
【請求項１】
切断面を地表とほぼ平行に配置した切断部７の後方近接部に、鎮圧を兼ねた走行用駆動ローラ部４を横設配置し、駆動ローラ部４の位置を切断面に対し上下に移動可能に支持することにより刈り高さ調節を行なう草刈機において、前記駆動ローラ部４を支持するローラ支持体５０を、支持体左５１と支持体右５２の間に連結軸５２ｄを着脱可能に連結して構成し、前記連結軸５２ｄにより駆動ローラ部４を嵌装軸支した事を特徴とする駆動ローラ部の支持構造。
【請求項２】
切断面を地表とほぼ平行に配置した切断部７を収納する下方開口箱形状のケーシング６の後部に配した左右一対の支点軸５６Ｌ・５６Ｒに回動可能に装着したローラ支持体５０により鎮圧を兼ねた走行用駆動ローラ部４を横設支持し、その駆動ローラ部４の位置を切断面に対し上下に回動可能に支持することにより刈り高さ調節を行なう草刈機において、刈り高さ調節を行なう調節レバー５５と係合関係を持ち、前記ローラ支持体５０を構成する一方の支持体が、側面視において、一方の支点軸に装着する座と連結軸５２ｄを固着する座及び一方の支点軸を中心とした調節掛金５４に近接する円弧を有し、且つ一方のローラと重合する部分を近接して切欠した内側開口箱形状である事を特徴とする駆動ローラ部の支持構造。
【請求項３】
ローラ支持体５０を構成する一方の支持体が、バランスバネ５９の一端と係合し、側面視において、バランスバネ５９を収納する内側開口箱形状である事を特徴とする請求項２記載の駆動ローラ部の支持構造。
【発明の詳細な説明】
【技術分野】
【０００１】
本発明は、草刈機において、切断部の後方に横設配置し上下方向の調節を行なう走行用駆動ローラの支持構造に関するものである。
【背景技術】
【０００２】
従来、鎮圧を兼ねた走行用駆動ローラの支持構造は、駆動ローラを中央部に、動力受け具を一側に固着した左右に突出する芯軸の両端を、ケーシングの左右に配した支点軸に回動可能に装着した左右の支持体に軸受けを介して架設する構造が用いられ、支持体は一部曲げを施した板状の成形品を使用するのが一般的である。
【０００３】
これ等の技術として
ケーシングの左右に配した支点軸の一方（実施例では左側）に、帯状の調節レバーの支点穴と、調節レバーと係合関係を保ち一部曲げを施した板状支持体左の支点穴を回動可能に嵌装し、他方には、一部曲げを施した板状支持体右の支点穴を回動可能に嵌装し、この両支持体をローラと平行で後方近接部を通るパイプで固着連結して門形部材を構成し、左側に動力を受けるスプロケットを固着したローラ芯軸の両端を、軸受けを介して門形部材の内側に締結固定して鳥居状に構成し、これを調節レバーにより固定掛金の凹部に嵌脱させる構造であり、更に、門形部材の両外側に滑らかな形状のカバーを配置している（例えば、特許文献１参照）。
等が公知技術としてある。
【０００４】
【特許文献１】特許第３１９５２０４号公報
【発明の開示】
【発明が解決しようとする課題】
【０００５】
前記の公知技術では、門形部材の内側にローラを配置するためローラの後方で地表近くに突起物が存在する事になり、構造物に沿った草刈り作業や機体の向きを変える時などに地表や構造物に接触し深い傷を付ける問題や、支持体左右共に板状部材で構成しており各所に凹凸や鋭利な角が生じるので、塵芥の堆積を防ぎ安全面や外観上を考慮し、両外側に滑らかな形状で堅牢なカバーを設ける必要があり、部品点数の増加や駆動ローラ支持部の長さ巾が広くなる等の問題がある。
【課題を解決するための手段】
【０００６】
本発明の解決しようとする課題は以上の如くであり、次にこの課題を解決するための技術的手段を説明する。
即ち、請求項１においては、切断面を地表とほぼ平行に配置した切断部７の後方近接部に、鎮圧を兼ねた走行用駆動ローラ部４を横設配置し、駆動ローラ部４の位置を切断面に対し上下に移動可能に支持することにより刈り高さ調節を行なう草刈機において、前記駆動ローラ部４を支持するローラ支持体５０を、支持体左５１と支持体右５２の間に連結軸５２ｄを着脱可能に連結して構成し、前記連結軸５２ｄにより駆動ローラ部４を嵌装軸支した事を手段として用いた。
【０００７】
また、請求項２においては、切断面を地表とほぼ平行に配置した切断部７を収納する下方開口箱形状のケーシング６の後部に配した左右一対の支点軸５６Ｌ・５６Ｒに回動可能に装着したローラ支持体５０により鎮圧を兼ねた走行用駆動ローラ部４を横設支持し、その駆動ローラ部４の位置を切断面に対し上下に回動可能に支持することにより刈り高さ調節を行なう草刈機において、刈り高さ調節を行なう調節レバー５５と係合関係を持ち、前記ローラ支持体５０を構成する一方の支持体が、側面視において、一方の支点軸に装着する座と連結軸５２ｄを固着する座及び一方の支点軸を中心とした調節掛金５４に近接する円弧を有し、且つ、一方のローラと重合する部分を近接して切欠した内側開口箱形状である事を手段として用いた。
【０００８】
また、請求項３においては、ローラ支持体５０を構成する一方の支持体が、バランスバネ５９の一端と係合し、側面視において、バランスバネ５９を収納する内側開口箱形状である事を手段として用いた。
【発明の効果】
【０００９】
本発明は以上のような構成にしたので、次のような効果が得られる。
即ち、請求項１記載のように、駆動ローラ部を支持するローラ支持体を、支持体左と支持体右の間に連結軸を着脱可能に連結して構成し、前記連結軸により駆動ローラ部を嵌装軸支した事により、ローラ支持体の強度を確保し、駆動ローラ支持部の長さも短く纏まり且つ、ローラ後方の突起物が皆無となり構造物付近の草刈り作業や機体の向きを変える時などに地表や構造物に接触し深い傷を付ける問題を防ぐ効果が得られる。
【００１０】
また、請求項２記載のように、刈り高さ調節を行なう調節レバーと係合関係を持ち、前記ローラ支持体を構成する一方の支持体が、側面視において、一方の支点軸に装着する座と連結軸を固着する座及び一方の支点軸を中心とした調節掛金に近接する円弧を有し、且つ、一方のローラと重合する部分を近接して切欠した内側開口箱形状である事により、一方の支持体の強度を確保すると共に堅牢なカバーの役割を果たし、支持体や調節掛金自体が持つ鋭利な角の露出を防ぎ両外側を滑らかな形状に整えられ、更に、調節レバーや回動支点への切断葉の堆積やローラ端部への切断葉の圧接堆積を防ぐ効果が得られる。
【００１１】
また、請求項３記載のように、ローラ支持体を構成する一方の支持体が、バランスバネの一端と係合し、側面視において、バランスバネを収納する内側開口箱形状である事により、バランスバネの鋭利な突起部を内包し、切断葉等の塵芥付着によるバネの性能低下を防ぎ、更に、係合部を部品追加することなく容易に設けられる等の効果が得られる。
【発明を実施するための最良の形態】
【００１２】
次に、本発明の実施と形態を添付の図面を用いて説明する。
図１は本発明を織り込んだ草刈機の全体左側面図、図２は同じく全体平面図、図３は要部左側面図、図４は同じく右側面図、図５は同じくＡ矢視図、図６はＢ−Ｂ矢視断面図である。
【００１３】
まず、本発明を織り込んだ草刈機の全体構成を図１、２を用いて説明する。
草刈機の全体構成は、進行方向に対する左側面視において、動力源を搭載し機体の移動と所定の高さに草を切断し切断葉を排出する走行車体１と、これと夫々に連動連結する操作レバーを配置し動力の断続や機体の進行方向の変更を行なう操縦部２を回動調節可能に後方上方に配置し、また、走行車体１の後部の排出口６８より排出される切断葉を収納する集草部８を着脱可能に後方に配置し構成している。
【００１４】
尚、操縦部２は、ケーシング体６１の後部上方両側に締結固定したハンドル取付体２８Ｌ・２８Ｒに、ループ状のハンドル２１の先端部とその後方の固着する突起を係合させ回動調節して先端部を締結して固定し、アクセルレバー２３はエンジン１０の調速レバーと同調方式で、走行レバー２５はクラッチアーム１８と、作業クラッチレバー２６はクラッチ７０と、夫々を索導菅式ワイヤーにより連動連結する構造である。
走行レバー２５と作業クラッチレバー２６は、作業者が手を放すと「切」の位置に戻るデッドマン方式を用いている。
【００１５】
また、集草部８は、集草枠８１ｃを把手及びフック部を除き通気性のある布で作られた集草袋８１で内縫し、排出口６８を配したケーシング体６１の後端面に接当する構造であり、ケーシング体６１後端上部突起にフック部を掛け装着するので、把手を握り上方に持ち上げれば容易に着脱することができる。
【００１６】
草刈機の全体の働きを説明すると、走行車体１の前輪調節レバー３５Ｌ・３５Ｒと調節レバー５５を操作して所定の刈り高さ位置に固定し、始動ロープ１３によりエンジン１０を起動させて操縦部２の後方に作業者は立ち、アクセルレバー２３を操作しエンジン１０の回転速度を選定し、走行レバー２５の操作では駆動ローラ部４へ、作業クラッチレバー２６の操作では切断刃７１への動力伝達を夫々断続し、ハンドル２１に力を加え進行方向の修正をしながら作業を行ない、ケーシング６後部の排出口より放出される切断葉を集草部８に収納し適当量堆積するとこれを走行車体１より取り外し、所定場所に排出し再度装着し作業を続けるものである。
【００１７】
つぎに、本発明を織り込んだ走行車体１の実施例を図３、４、５、６を用いて詳細に説明する。
走行車体１の構成は、機枠と風路を形成するケーシング６に、動力源となるエンジン１０・草を切断し排風を起こす切断部７・走行用の駆動ローラ部４・駆動ローラ部４の高さを調節可能に支持する本発明を織り込んだローラ支持部５・高さ調節可能な自由回転の前輪部３を装着して構成している。
【００１８】
即ち、エンジン１０は、上部に始動ロープ１３を配し、下方に突出する作業出力軸１１と後方に突出する走行出力軸１２を有し、機枠となるケーシング６の中央上面に締結固定して動力源となり、切断部７は、作業出力軸１１に装着したクラッチ７０を介して両外側部に吸い上げる方向の捻りを設けた帯状の切断刃７１を装着し、風路を兼ねた下方開口箱形状のケーシング６に収納し水平な切断面を形成した切断と切断葉の排出を行なうものである。
【００１９】
駆動ローラ部４は、走行出力軸１２とミッションケース１４内上部に配置するミッション入力軸１５を屈折伝動具１９により連動連結し、ミッション入力軸１５と係合すると共にクラッチアーム１８の作動により動力を断続する構造のクラッチ軸１６及び伝動具を介してミッションケース１４内下部に配置する左右に突出する中空の車輪駆動軸１７に連動連結し、内側中心部にフランジ４１ｂを外側中心部に軸受４１ｃを夫々固着するローラ左４１及びローラ右４２を回転方向に係合状態で車輪駆動軸１７に嵌装して連動連結し、更に、ローラ４０と同芯同半径の円弧を有するソリ体４８をミッションケース１４の下端に締結固定した構造で、機体の走行及び切断後の地表の鎮圧を行なうものである。
【００２０】
ローラ支持部５は、バネ掛け穴を有し支点軸５６Ｌを中心とした円弧の外折部に所定の凹凸を設けた調節掛金５４をケーシング体６１後部左側壁に固定配置し、ケーシング体６１の後部下方左右に配した支点軸座６３Ｌ・６３Ｒに固定した一対の支点軸５６Ｌ・５６Ｒの一方の支点軸５６Ｌに、回動可能で且つ調節掛金５４凹部との係脱部を有する帯状で弾性体の調節レバー５５を装着し、その外方に回動座５１ｂと連結座５１ｃを固着すると共に調節レバー５５と常に係合する溝とバネ掛け穴を設けた内側開口箱形状である支持体左５１を装着し、他方の支点軸５６Ｒには、回動座５２ｂと連結座５２ｃ及び連結軸５２ｄを固着する支持体右５２を連結軸５２ｄに駆動ローラ部４を回転自在に嵌装して装着すると共に、連結軸５２ｄを固着する支持体右５２と支持体５１を、回転止めキー５１ｅを挿入して捩れ防止を施して連結軸５２ｄで連結固定した構造であり、又、ケーシング体６１に配したリンク取付座６２とミッションケース１４上部に段付ボルト４７ｂ・４７ｂによりリンク４７を装着して揺動可能に構成している。
従って、ローラ支持部５は、強度・捩り剛性を保って駆動ローラ部４を３点支持方式で支え、調節レバー５５を調節掛金５４の凹部より外し回動させ予定する凹部に合わせる事により切断面に対するローラの位置を変え刈り高さの調節を行なうものである。
【００２１】
前輪部３は、ケーシング体６１の前部下方両側に配した前輪取付座６４Ｌ・６４Ｒに、一端が内方向に他端に外方向に突出する軸を帯状の連結体で固着したクランク形の一対の前輪取付具３２Ｌ・３２Ｒの内方向に突出する軸を、回動自在に挿入し抜け止めを施し、他端に前輪３１Ｌ・３１Ｒを回転自在に取付けると共に、その連結体に沿って帯状で一部に係脱部を有する弾性体の前輪調節レバー３５Ｌ・３５Ｒの下端を固着配置した構造で、夫々外方に橈ませ前輪固定座６５Ｌ・６５Ｒの凹部より外し回動させ予定する凹部に合わせれば切断面に対する前輪の位置が変わり駆動ローラ部４と同様刈り高さの調節に使用するものである。
【産業上の利用可能性】
【００２２】
これ等の効果を織り込むことにより、駆動ローラの後方に部材を配置することなく門形構成でローラ支持部の強度を保ち駆動ローラ部を調節可能に支持し、又、ローラ支持部の両外側に堅牢なカバーを設けることなく滑らかな形状に纏められ、外観の向上・安全の確保・部品点数削減・小型化等の効果が得られるので、位置調節を要する駆動ローラの支持構造として利用する可能性が大である。
【図面の簡単な説明】
【００２３】
【図１】本発明を織り込んだ草刈機の全体左側面図である。
【図２】同じく全体平面図である。
【図３】同じく要部左側面図である。
【図４】同じく要部右側面図である。
【図５】同じくＡ矢視図である。
【図６】Ｂ−Ｂ矢視断面図である。
【符号の説明】
【００２４】
１      走行車体
２      操縦部
３      前輪部
４      駆動ローラ部
５      ローラ支持部
６      ケーシング
７      切断部
８      集草部
４０    ローラ（左右を含む）
５０    ローラ支持体
６８    排出口
７０    クラッチ
Ａ      図の矢視位置を示す
Ｂ−Ｂ  図の断面位置及び方向を示す
【図１】
2005176647.tif 000003
【図２】
2005176647.tif 000004
【図３】
2005176647.tif 000005
【図４】
2005176647.tif 000006
【図５】
2005176647.tif 000007
【図６】
2005176647.tif 000008